(57)【特許請求の範囲】
【請求項１】
セメント等の固化材を、らせん状羽根部が収まる部分にのみ部分的に供給、攪拌混合し、地盤中に築造した一連のソイルセメント柱体に、最下端部にらせん状羽根を有し、杭頭部近傍に少なくとも１枚のらせん状羽根を有し、中間部に複数枚のらせん状羽根を有するらせん状羽根付杭を、挿入することを特徴とする部分築造ソイルセメント合成杭の造成方法。
【請求項２】
請求項１に記載の造成方法により造成される部分築造ソイルセメント合成杭。
【請求項３】
らせん状羽根付杭本体の直径をｄ、らせん状羽根の直径をＤ、ソイルセメント柱体の直径をＤｃとしたとき、前記らせん状羽根の直径Ｄの範囲が杭本体の直径ｄの１．５倍乃至３．０倍であり、ソイルセメント柱体の直径Ｄｃの範囲がらせん状羽根の直径Ｄの１．２倍乃至３．０倍であることを特徴とする請求項２に記載の部分築造ソイルセメント合成杭。
【請求項４】
らせん状羽根付杭本体の中空部にセメントミルク又はモルタル或いはコンクリートが充填されていることを特徴とする請求項２乃至３のいずれかに記載の部分築造ソイルセメント合成杭。
【請求項５】
杭頭部近傍のらせん状羽根の直径が、その他の部分の直径より大きいことを特徴とする請求項２乃至４のいずれかに記載の部分築造ソイルセメント合成杭。
【請求項６】
らせん状羽根付杭の杭頭部近傍のソイルセメント柱体の直径が、その他の部分の直径より大きいことを特徴とする請求項２乃至５に記載の部分築造ソイルセメント合成杭。
【発明の詳細な説明】
【０００１】
【発明の属する技術分野】
本発明は、土木、建築構造物の基礎杭に関し、特に、ソイルセメント柱体の中にらせん状羽根を有する杭を挿入してなるソイルセメント合成杭に関する。
【０００２】
【従来の技術】
従来、らせん翼を設けた杭を回転埋設する工法や、地盤改良によって造成されたソイルセメント柱体の中に、補強部材として鋼管等を挿入し、杭とする工法がある。このような工法の代表的な例としては特開昭６０−２３８５１５号公報に開示された技術（第１公知例）や、特許第２７３１８０６号の技術（第２公知例）がある。
【０００３】
第１公知例の技術は、土質固化ミルクを充填しながら杭埋設孔を掘削し、杭埋設孔の下端部を拡大掘削した後、少なくとも下端部にらせん翼を設けた基礎杭を回転しながら貫入させるものである。
また、第２公知例の技術は、地盤とセメントミルク等の固化材を攪拌して削孔内を所定深度までソイルセメント化し、削孔底部を、そこまで注入した固化材よりも固化後の圧縮強度が大きくなる固化材で充満させ、掘削・攪拌ロッドを引き上げて内周面の下部に固化材との付着力を向上させるための突起を有し且つ少なくとも１枚のらせん翼が下端部に設けられている鋼管をソイルセメント化した削孔内に挿入するものである。
【０００４】
【発明が解決しようとする課題】
本発明は、より経済合理性の高いソイルセメント合成杭の提供を目的とする。
【０００５】
【課題を解決するための手段】
本発明者は、ソイルセメント柱体は、全体が一体でなくとも、らせん状羽根が収まる部分のみに築造すれば十分であることを見出し、本発明に到達した。
すなわち、本発明は、下記の通りである。
１．最下端部にらせん状羽根を有し、杭頭部近傍に少なくとも１枚のらせん状羽根を有し、中間部に複数枚のらせん状羽根を有するらせん状羽根付杭を、地盤中に該らせん状羽根部にのみ築造される一連のソイルセメント柱体に挿入して形成されることを特徴とする部分築造ソイルセメント合成杭。
【０００６】
２．らせん状羽根付杭本体の直径をｄ、らせん状羽根の直径をＤ、ソイルセメント柱体の直径をＤｃとしたとき、前記らせん状羽根の直径Ｄの範囲が杭本体の直径ｄの１．５倍乃至３．０倍であり、ソイルセメント柱体の直径Ｄｃの範囲がらせん状羽根の直径Ｄの１．２倍乃至３．０倍であることを特徴とする１．に記載の部分築造ソイルセメント合成杭。
３．らせん状羽根付杭本体の中空部にセメントミルク又はモルタル或いはコンクリートが充填されていることを特徴とする１．乃至２．のいずれかに記載の部分築造ソイルセメント合成杭。
【０００７】
４．杭頭部近傍のらせん状羽根の直径が、その他の部分の直径より大きいことを特徴とする１．乃至３．のいずれかに記載の部分築造ソイルセメント合成杭。
５．らせん状羽根付杭の杭頭部近傍のソイルセメント柱体の直径が、その他の部分の直径より大きいことを特徴とする１．乃至４．に記載の部分築造ソイルセメント合成杭。
６．とセメント等の固化材を、らせん状羽根部が収まる部分にのみ部分的に供給、攪拌混合し、築造した一連のソイルセメント柱体に、最下端部にらせん状羽根を有し、杭頭部近傍に少なくとも１枚のらせん状羽根を有し、中間部に複数枚のらせん状羽根を有するらせん状羽根付杭を、挿入することを特徴とする請求項１に記載の部分築造ソイルセメント合成杭の造成方法。
【０００８】
【発明の実施の形態】
以下、図により本発明のソイルセメント合成杭の実施例を説明する。
図１(a)〜(e)は、本発明の一実施例の施工工程の概要を示す地盤断面図である。はじめに、図１(a)に示すように掘削ビットのノズルからセメント等の固化材をジェット状に噴射することにより地盤と固化材を混合攪拌する。あるいは機械式深層混合処理工法によって地盤と固化材を混合する。混合攪拌装置は、先端に掘削爪を有し、逆転させると攪拌羽根が開き、拡大掘削できる機構を有しているものを用いるのが好適である。
【０００９】
所定の深度まで混合攪拌を行ったのち、図１(b)、図１(c)に示すように、ソイルセメントコラムを部分的に造成する。
次に、図１（d）に示すように、最下端部にらせん状羽根を有し、中間部に複数枚のらせん状羽根を有している杭を、ねじり込みにより挿入する。最終的に図１（e）のようなソイルセメント合成杭が造成される。らせん状羽根付杭は、一本で用いても良いし、溶接、ネジ継手などの接続手段により複数本接続して継杭として用いても良い。また、杭の挿入は必ずしもねじり込む必要はなく、押し込みによって挿入することも可能である。
【００１０】
図２は、杭本体の直径をｄ、らせん状羽根の直径をＤ、ソイルセメント改良柱体の直径をＤｃとしたときに、その関係の一例を図示したものである。これら寸法の好ましい範囲は、前記らせん状羽根の直径Ｄの範囲が杭本体の直径ｄの１．５倍乃至３．０倍であり、ソイルセメント柱体の直径Ｄｃの範囲がらせん状羽根の直径Ｄの１．２倍乃至３．０倍である。
らせん状羽根の直径Ｄが杭本体の直径ｄの１．５倍未満の場合、荷重は杭本体かららせん状羽根を介してソイルセメント柱体に分散されるが、その効果は十分とは言いがたい。特に、らせん状羽根とソイルセメント柱体との付着面積が少なくなるため、杭本体とソイルセメント柱体の一体効果が減少し易い。
【００１１】
らせん状羽根の直径Ｄが杭本体の直径ｄの３．０倍を超えると、らせん状羽根に発生する曲げ応力が大きくなり、この大きな曲げ応力を杭本体に伝達させるために、らせん状羽根の厚さを厚くする必要が生じる。更に、らせん状羽根と杭本体の本体との溶接部分の性能を確保するために、十分な溶接を行うことが必要となり高価になり易い。
【００１２】
【発明の効果】
本発明のソイルセメント合成杭は、前述のような構成よりなるので、ソイルセメント柱状体とらせん状羽根付杭が一体化し、らせん状羽根から荷重が滑らかにソイルセメント柱状体に分散される。また、ソイルセメント柱体が部分築造の一連の短長柱体からなるため、セメント等固化材の使用量が少なくて済む。さらに、施工速度も上がり、排出残土も少なくなる。
【図面の簡単な説明】
【図１】図１は、本発明の一実施例の施工工程の概要を示す地盤断面図である。
【図２】図２は、らせん状羽根付杭本体の直径をｄ、らせん状羽根の直径をＤ、ソイルセメント柱体の直径をＤｃとしたとき、これらの関係の一例を示した図であり、（ａ）は正面図、（ｂ）は（ａ）のＡＡ’線断面図である。
【図３】一連のソイルセメント柱体に、らせん状羽根が配置されるように、らせん状羽根付杭が挿入された部分築造ソイルセメント合成杭の完成状態を示した片面断面図である。
【符号の説明】
１  地盤
２  らせん状羽根付杭
３  ソイルセメント柱体
４  らせん状羽根
５  ソイルセメント柱体造成装置
６  フーチング
【図１】
0004641369.tif 000002
【図２】
0004641369.tif 000003
【図３】
0004641369.tif 000004